(57)【要約】      （修正有）【課題】水圧によって困難を極める止水栓の止水栓コマ及び上部セットの交換作業を容易とする水道工具を提供する。【解決手段】止水栓の止水栓コマ及び上部セットの交換作業に好適なディープソケット形状の水道工具１であって、ソケット部２の口径３側の外周端縁部４からガイド用周壁５が突設されていることを特徴とする。また、ガイド用周壁５に貫通孔７が形成されていることを特徴とする。【選択図】図１
0003197807.tif 000002
【実用新案登録請求の範囲】
【請求項１】
止水栓の止水栓コマ及び上部セットの交換作業に好適なディープソケット形状の水道工具であって、
ソケット部の口径側の外周端縁部からガイド用周壁が突設されていることを特徴とする水道工具。
【請求項２】
前記ガイド用周壁に貫通孔が形成されていることを特徴とする請求項１に記載の水道工具。
【考案の詳細な説明】
【技術分野】
【０００１】
本考案は、止水栓の止水栓コマ及び上部セットの交換作業に好適な水道工具に関し、特に水圧によって困難を極める止水栓コマ及び上部セットの交換作業を容易とする水道工具に関する。
【背景技術】
【０００２】
従来、甲型止水栓や伸縮止水栓等の止水栓には止水栓コマ（「ケレップ」、「止水コマ」等ともいう。）が入っており、この止水栓コマによって止水することができる。しかし、止水栓コマに係るゴムパッキンは経年劣化するため、定期的な交換を行わなければ止水することができなくなる。
【０００３】
一般的な給水装置において、例えば、宅内の給水設備からの漏水が発生した場合、宅内側のメーターボックス内にある止水栓を閉めることによって、宅内給水設備の修繕等を断水状態で行うことができる。また、メーターボックス内の止水栓や水道メーターの交換作業を行う場合や、第一止水栓からメーターボックスまでの間で漏水や破裂等が発生した場合は、第一止水栓を閉めることによって断水状態で容易に交換作業や修繕作業を行うことができる。つまり、止水栓による止水が完全であれば当該止水栓の先において行われる各種修繕・交換作業等は容易であるが、止水栓コマによる止水を完全に行うことができなければ、止水栓コマの交換が必要不可欠となる。
【０００４】
ここで、この止水栓コマの交換作業も場合によっては非常に困難を極める。つまり、メーターボックス内の止水栓に係る止水栓コマの交換作業であれば、第一止水栓を閉めることによって断水状態で容易に交換作業を行うことができる。しかし、第一止水栓に係る止水栓コマの交換となると、水道本管（配水管）から第一止水栓までの間で止水することができない場合が殆どであり、この場合には断水状態での交換作業はできない。従って、給水状態での止水栓コマの交換作業となり、給水の水圧によって止水栓コマの交換作業は困難を極める。
【０００５】
図４は、従来の止水栓コマの交換作業の様子の一例を示した断面図である。同図に示すように、例えば甲型止水栓Ｓに係る止水栓コマ１０の交換作業を行う場合、まず同図（ａ）に示すように、パッキン箱２１、パッキン押さえ２２、栓棒２３で主に構成される上部セット２０に新しい止水栓コマ１０をセットした状態で、ディープソケット３０に係る口径３１にパッキン箱２１を嵌合させ、止水栓Ｓに係る胴部１１の上部開口１２から止水栓コマ１０を挿入する。そして、ディープソケット３０を不図示のレンチ等で回して上部セット２０を胴部１１に螺入することによって、同図（ｂ）に示すように、新しい止水栓コマ１０に交換することができる。
【０００６】
なお、止水栓コマ１０の交換のみならず、上部セット２０の交換や止水栓コマ１０と上部セット２０の双方を同時に交換する場合も、交換作業としては、上記と同様である。また、同図（ｂ）の状態では止水はされておらず、上部セット２０に係る栓棒２３に止めネジ２５によってハンドル２４を取り付け、ハンドル２４を回して栓棒２３を下降させることによって、止水栓コマ１０による止水が行われる。
【０００７】
図４に示した止水栓コマ１０の交換作業において使用されるディープソケット３０は一般的なソケットであって、止水栓コマ１０の交換作業に特化したものではない。なお、ソケットについては、従来から種々のソケット工具が開示されている（例えば、特許文献１参照。）。また、配管の先端部に取り付けられたドレンキャップ等の締結具を緩めたり外したりする場合に、漏れた液体が作業者にかからないようにするための被液などの防止カバー付レンチ等も開示されている（例えば、特許文献２参照。）。
【先行技術文献】
【特許文献】
【０００８】
【特許文献１】特開２００４−９２４８号公報
【特許文献２】特開２００５−１２５４３４号公報
【考案の概要】
【考案が解決しようとする課題】
【０００９】
断水状態にできない場合であっても、短時間で容易に止水栓コマの交換作業を可能とする水道工具が求められているが、好適な水道工具がなく、熟練度の高い作業者の技術に頼っているのが現状である。特に、図４（ａ）に示すように、止水栓Ｓに係る胴部１１の上部開口１２から止水栓コマ１０を挿入した後、上部セット２０に係るパッキン箱２１の下端外周面に形成されているネジ山を上部開口１２内のネジ溝に螺合することが非常に難しい。断水状態であってもなかなか螺合させるのは困難であるが、断水状態にできない場合は、水圧によって更に困難を極め、熟練度の高い作業員であっても非常に労力を要する。
【００１０】
特許文献２に開示されたレンチであれば、作業者に対して水がかかることをある程度防止できるものと思料するが、パッキン箱２１に係るネジ山を上部開口１２内のネジ溝に螺合させる作業そのものが容易になるものではない。
【００１１】
そこで本願考案者は、上記の問題点に鑑み、水圧によって困難を極める止水栓の止水栓コマ及び上部セットの交換作業を容易とする水道工具を提供するべく鋭意検討を重ねた結果、本考案に至ったのである。
【課題を解決するための手段】
【００１２】
即ち、本考案の水道工具は、止水栓の止水栓コマ及び上部セットの交換作業に好適なディープソケット形状の水道工具であって、ソケット部の口径側の外周端縁部からガイド用周壁が突設されていることを特徴とする。
【００１３】
また、本考案の水道工具において、前記ガイド用周壁に貫通孔が形成されていることを特徴とする。
【考案の効果】
【００１４】
本考案の水道工具によると、水圧によって困難を極める止水栓の止水栓コマ及び上部セットの交換作業を、人力に頼ることなく、また熟練した者でなくとも容易に行うことができる。
【００１５】
また、本考案の水道工具において、ガイド用周壁に貫通孔を形成しておくことによって、断水状態にできない場合であっても、止水栓の上部開口から噴出する水の一部を当該貫通孔から水道工具外へ排出することができ、水圧を低下させて止水栓コマ及び上部セットの交換作業を行うことができる。
【図面の簡単な説明】
【００１６】
【図１】本考案の水道工具の一実施形態を示した平面図である。
【図２】図１に示した水道工具の縦方向斜視断面図である。
【図３】図１に示した水道工具による止水栓コマ及び上部セットの交換作業の様子を示した断面図である。
【図４】従来の止水栓コマ及び上部セットの交換作業の様子を示した断面図である。
【考案を実施するための形態】
【００１７】
以下、本考案の水道工具の実施形態を、図面に基づいて説明する。図１は、本考案の一実施形態に係る水道工具１の平面図、図２は水道工具１の縦方向斜視断面図である。これらの図に示すように、本実施形態の水道工具１は、甲型止水栓や伸縮止水栓等の止水栓に係る止水栓コマや上部セットの交換作業に好適なディープソケット形状の水道工具であり、ソケット部２の口径３側の外周端縁部４からガイド用周壁５が突設されていることを特徴とする。
【００１８】
ソケット部２は、従来のディープソケットと同様の形状をなし、止水栓コマの交換作業時には、口径３に上部セットに係るパッキン箱が嵌合されることとなる。詳細については後述する。なお符号６は、各種ハンドルやエクステンションバーが備えるドライブ角が差し込まれる差込角である。
【００１９】
そして、このソケット部２の口径３側の外周端縁部４からガイド用周壁５が突設されている。より具体的には、本実施形態に係るガイド用周壁５は、ソケット部２の口径３の外周面にガイド用周壁５が周設され、このガイド用周壁５の端縁が、口径３側の外周端縁部４から突出した状態となっている。
【００２０】
以上の構成から成る本実施形態の水道工具１によると、止水栓の止水栓コマや上部セットの交換作業を、人力に頼ることなく、また熟練した者でなくとも容易に行うことができる。
【００２１】
以下に、本実施形態の水道工具１を使用した止水栓コマの交換作業の様子を図面に基づいて説明する。例えば、図３（ａ）に示すように、甲型止水栓Ｓに係る止水栓コマ１０の交換作業を行う場合、まずパッキン箱２１、パッキン押さえ２２、栓棒２３で主に構成される上部セット２０に新しい止水栓コマ１０をセットした状態で、水道工具１に係る口径３にパッキン箱２１を嵌合させる。
【００２２】
ここで、従来であれば、止水栓Ｓに係る胴部１１の上部開口１２から止水栓コマ１０を挿入することとなるが、断水状態でなければ、上部開口１２に止水栓コマ１０を挿入することは非常に困難である。しかし、本実施形態の水道工具１にはガイド用周壁５が突設されているため、上部セット２０に新しい止水栓コマ１０をセットし、水道工具１に係る口径３にパッキン箱２１を嵌合させた状態で止水栓コマ１０を上部開口１２へ挿入しようとすると、ガイド用周壁５が、上部開口１２から外側方向へ延設された鍔部１３の外周縁に係合し、当該ガイド用周壁５によって上部セット２０及び止水栓コマ１０が位置決めされることとなる。
【００２３】
上部セット２０及び止水栓コマ１０がガイド用周壁５によって位置決めされれば、水道工具１をそのまま胴部１１方向へ押し込むことによって、まずは止水栓コマ１０が上部開口１２内へ挿入され、上部セット２０に係るパッキン箱２１の下端外周面に形成されているネジ山が上部開口１２内のネジ溝に当接する。この状態で水道工具１を不図示のハンドルで回すことによって、上部セット２０自体も水道工具１に係るガイド用周壁５により螺入方向が規制されるため、パッキン箱２１の下端外周面に形成されているネジ山を上部開口１２内のネジ溝に容易に螺合させることができる。そして、上部セット２０を最後まで螺入することによって、図３（ｂ）に示すように、止水栓コマ１０が交換されることとなる。
【００２４】
なお、図３（ｂ）の状態から水道工具１を取り外し、上部セット２０に係る栓棒２３に止めネジ２５によってハンドル２４を取り付け、ハンドル２４を回して栓棒２３を下降させることによって、図３（ｃ）に示すように、止水栓コマ１０による止水が行われる。
【００２５】
以上のように、本実施形態の水道工具１によると、上部セット２０の取り付け作業、即ちパッキン箱２１に係るネジ山を上部開口１２内のネジ溝に螺合させる作業を容易に行うことができる。当該作業は断水状態であっても非常に困難な作業であるが、断水状態にできない場合は更に困難を極める。しかし、本実施形態の水道工具１に係るガイド用周壁５によって上部セット２０及び止水栓コマ１０が位置決めされるため、水圧によって非常に困難な止水栓コマ１０の交換作業も容易に行うことができる。
【００２６】
また、上記実施形態の水道工具１に係るガイド用周壁５に複数の貫通孔７を形成しておくことによって、断水状態にできない場合であっても、貫通孔７を介して水道工具１外へ水を排出することができ、水圧を低下させて止水栓コマ１０の交換作業を行うことができる。なお、この貫通孔７の大きさや形成数は特に限定されるものではなく、止水栓Ｓの設置箇所における水圧を考慮して、適宜選択することができる。
【００２７】
以上に例示した本考案の一実施形態に係る水道工具１は、本考案の技術的思想を実質的に限定するものと解してはならない。例えば、上記実施形態では、止水栓コマ１０の交換作業について詳述したが、止水栓コマ１０の交換のみならず、上部セット２０の交換、或いは止水栓コマ１０と上部セット２０の双方を同時に交換する場合にも、本考案の水道工具を使用して容易に行うことができる。なお、作業手順は、上記実施形態の水道工具１によって止水栓コマ１０を交換した作業手順と同様である（図３参照）。本考案は、その要旨を逸脱しない範囲で、当業者の創意と工夫により、適宜に改良、変更又は追加をしながら実施できる。
【符号の説明】
【００２８】
１：水道工具
２：ソケット部
３，３１：口径
４：口径の外周端縁部
５：ガイド用周壁
６：差込角
７：貫通孔
１０：止水栓コマ
１１：胴部
１２：上部開口
１３：鍔部
２０：上部セット
２１：パッキン箱
２２：パッキン押さえ
２３：栓棒
２４：ハンドル
２５：止めネジ
３０：ディープソケット
【図１】
0003197807.tif 000003
【図２】
0003197807.tif 000004
【図３】
0003197807.tif 000005
【図４】
0003197807.tif 000006